(57)【要約】【課題】  本発明は、施工管理が容易で十分な吸熱作用を得ることができる小屋裏構造を提供することを目的としている。【解決手段】  建物１の小屋裏空間２内に水を含有させた含水性物質３を設ける。含水性物質３は、流動性を有し、袋体４内に収容される。含水性物質３をそれぞれ収容する複数の袋体４が連続して配列されてシート状で構成され、隣設された各袋体４の間に設けられた切り取り線５に沿って分離可能に構成されたことを特徴とする。【選択図】      図２
2015031100.tif 000002
【特許請求の範囲】
【請求項１】
建物の小屋裏空間内に水を含有させた含水性物質を設けたことを特徴とする小屋裏構造。
【請求項２】
前記含水性物質は、流動性を有し、袋体内に収容されたことを特徴とする請求項１に記載の小屋裏構造。
【請求項３】
前記含水性物質をそれぞれ収容する複数の袋体が連続して配列されてシート状で構成され、隣設された各袋体の間に設けられた切り取り線に沿って分離可能に構成されたことを特徴とする請求項２に記載の小屋裏構造。
【請求項４】
屋根材を支持する垂木間に金属板が設けられ、前記金属板に前記含水性物質を収容する袋体が取り付けられたことを特徴とする請求項２または請求項３に記載の小屋裏構造。
【請求項５】
前記小屋裏空間を形成する軒裏天井板の上面に前記含水性物質を収容する袋体が載置されたことを特徴とする請求項２または請求項３に記載の小屋裏構造。
【請求項６】
前記含水性物質は、含水性樹脂または含水性粘土により構成されることを特徴とする請求項１〜５のいずれか１項に記載の小屋裏構造。
【請求項７】
前記含水性物質は、水の含有率が９９重量％以上に設定されたことを特徴とする請求項１〜６のいずれか１項に記載の小屋裏構造。
【発明の詳細な説明】
【技術分野】
【０００１】
本発明は、防火性能を向上させた建物の小屋裏構造に関するものである。
【背景技術】
【０００２】
従来、近隣建物の火災時に小屋裏空間内が加熱されて延焼被害を受けることを防止するために小屋裏空間を形成する軒裏天井板の板厚を増化させたり、温度ヒューズや熱発泡材を設けることが行われている。
【０００３】
また、特許文献１では、石膏、シリカゲル、ゼオライト、水酸化銅、硫酸マグネシウム水和物、硫酸アルミニウム水和物、リン酸マグネシウム水和物、リン酸鉄、フッ化鉄、フッ化アルミニウム等からなる吸熱性物質を小屋裏に配置したことが記載されている。
【０００４】
また、特許文献２では、軒裏天井板に耐火断熱層、熱遮断層、吸熱層等からなる耐火補強層を積層したり、特許文献３では、軒裏天井板に空気層を介して耐火断熱層、熱遮断層、吸熱層等からなる耐火補強体を設けたことが記載されている。
【先行技術文献】
【特許文献】
【０００５】
【特許文献１】特許第５０９６９５３号公報
【特許文献２】特許第５１３５１３３号公報
【特許文献３】特許第５０７９４８６号公報
【発明の概要】
【発明が解決しようとする課題】
【０００６】
しかしながら、特許文献１の吸熱性物質は燃焼する場合があるため火災時に高温となる軒天通気見切り金物に接しないように配置する必要があり、施工管理が面倒であった。また、特許文献２、３の吸熱層は水酸化アルミニウムを主材料としているため高価であり、火災時に発生する脱水量も少ないため十分な吸熱作用を得ることができないという問題があった。
【０００７】
本発明は前記課題を解決するものであり、その目的とするところは、施工管理が容易で十分な吸熱作用を得ることができる小屋裏構造を提供するものである。
【課題を解決するための手段】
【０００８】
前記目的を達成するための本発明に係る小屋裏構造の第１の構成は、建物の小屋裏空間内に水を含有させた含水性物質を設けたことを特徴とする。
【０００９】
また、本発明に係る小屋裏構造の第２の構成は、前記第１の構成において、前記含水性物質は、流動性を有し、袋体内に収容されたことを特徴とする。
【００１０】
また、本発明に係る小屋裏構造の第３の構成は、前記第２の構成において、前記含水性物質をそれぞれ収容する複数の袋体が連続して配列されてシート状で構成され、隣設された各袋体の間に設けられた切り取り線に沿って分離可能に構成されたことを特徴とする。
【００１１】
また、本発明に係る小屋裏構造の第４の構成は、前記第２、第３の構成において、屋根材を支持する垂木間に金属板が設けられ、前記金属板に前記含水性物質を収容する袋体が取り付けられたことを特徴とする。
【００１２】
また、本発明に係る小屋裏構造の第５の構成は、前記第２、第３の構成において、前記小屋裏空間を形成する軒裏天井板の上面に前記含水性物質を収容する袋体が載置されたことを特徴とする。
【００１３】
また、本発明に係る小屋裏構造の第６の構成は、前記第１〜第５の構成において、前記含水性物質は、含水性樹脂または含水性粘土により構成されることを特徴とする。
【００１４】
また、本発明に係る小屋裏構造の第７の構成は、前記第１〜第６の構成において、前記含水性物質は、水の含有率が９９重量％以上に設定されたことを特徴とする。
【発明の効果】
【００１５】
本発明に係る小屋裏構造の第１の構成によれば、近隣建物の火災時等に小屋裏空間内が加熱されると該小屋裏空間内に設けた含水性物質に含有させた水が昇温により蒸発し、その気化熱により小屋裏空間内の温度を下げることで延焼被害を受けることを防止することが出来る。
【００１６】
また、本発明に係る小屋裏構造の第２の構成によれば、水を含有させた流動性を有する含水性物質を袋体内に収容することで設置個所の起伏形状に対応して袋体が自在に変形し、設置作業が容易である。
【００１７】
また、本発明に係る小屋裏構造の第３の構成によれば、含水性物質をそれぞれ収容する複数の袋体が連続して配列されてシート状で構成され、隣設された各袋体の間に設けられた切り取り線に沿って分離可能に構成されたことで、設置面積や設置個所の形状に対応して隣設された各袋体の間に設けられた切り取り線に沿って分離して所望の面積及び形状に変更でき、切り取った後もシート状で保持されるため敷設作業や運搬等の取り扱いが容易である。
【００１８】
また、本発明に係る小屋裏構造の第４の構成によれば、屋根材を支持する垂木間に設けられた金属板に含水性物質を収容する袋体を取り付けることで小屋裏空間内の上部にも含水性物質を容易に設置することが出来る。
【００１９】
また、本発明に係る小屋裏構造の第５の構成によれば、小屋裏空間を形成する軒裏天井板の上面に含水性物質を収容する袋体を載置することで含水性物質を安定した位置に設置出来る。
【００２０】
また、本発明に係る小屋裏構造の第６の構成によれば、含水性物質として、安価で広く市販され、水分が蒸発した後も不燃性を有して無害な物質からなる含水性樹脂または含水性粘土を採用することが出来る。含水性樹脂の一例としては、冷凍食品や要冷蔵品等を低温に保つために用いられる保冷剤や人の発熱時や暑い時に涼をとるために使われる蓄冷剤等が適用出来る。
【００２１】
また、本発明に係る小屋裏構造の第７の構成によれば、含水性物質は、水の含有率が９９重量％以上に設定されたことで豊富な水分量が確保でき、水が昇温蒸発した際の気化熱により十分な吸熱作用を得ることができる。
【００２２】
含水性物質の成分は殆どが水であり、比熱が大きいので、通常時は小屋裏空間の温度変化を緩やかにすることができる。即ち、水の蓄熱効果により小屋裏空間が熱くなり過ぎたり寒くなり過ぎたりするのを防ぐことができる。
【００２３】
一般に袋詰めされて市販されている保冷剤（アイスパック）には約９９重量％の水と、ポリアクリル酸ナトリウム等の高吸水性樹脂、防腐剤、形状安定剤等が含まれており、含水性物質として採用できる上に入手が容易で且つ安価である。また、保冷剤は燃焼しないため火災時に高温となる軒天通気見切り金物に接して配置することも出来、施工管理も容易である。
【図面の簡単な説明】
【００２４】
【図１】本発明に係る小屋裏構造を備えた切妻屋根の建物を示す斜視図である。
【図２】本発明に係る小屋裏構造の第１実施形態の構成を示す図１のＡ−Ａ断面図である。
【図３】（ａ），（ｂ）は含水性物質をそれぞれ収容する複数の袋体が連続して配列され、隣設された各袋体の間に設けられた切り取り線に沿って分離可能に構成されたシート状部材の構成を示す斜視説明図及び断面説明図である。
【図４】本発明に係る小屋裏構造の温度上昇実験を簡易炉を使用して行った際の実験設備を説明する模式図であり、（ａ）は簡易炉内の平面説明図、（ｂ）は簡易炉内の断面説明図である。
【図５】本発明に係る小屋裏構造と比較例との温度上昇実験結果を示す図である。
【図６】（ａ）は本発明に係る小屋裏構造の第２実施形態の構成を示す図１のＢ−Ｂ断面図、（ｂ）は本発明に係る小屋裏構造の第２実施形態の構成を示す図１のＡ−Ａ断面図である。
【図７】（ａ）は本発明に係る小屋裏構造の第３実施形態の構成を示す図１のＢ−Ｂ断面図、（ｂ）は金属板とシート状部材とを一体化したパネル体の構成を示す斜視説明図、（ｃ）は本発明に係る小屋裏構造の第３実施形態の構成を示す図１のＡ−Ａ断面図である。
【発明を実施するための形態】
【００２５】
図により本発明に係る小屋裏構造の一実施形態を具体的に説明する。
【実施例１】
【００２６】
先ず、図１〜図５を用いて本発明に係る小屋裏構造の第１実施形態の構成について説明する。図１は本発明に係る小屋裏構造を備えた切妻屋根の建物を示す斜視図である。切妻屋根とは棟の両側に流れる二つの斜面からできている山形の屋根をいう。
【００２７】
本実施形態では、図２に示すように、建物１の野地板11と、鼻隠し材16と、軒裏天井板９と、外壁下地材17とにより小屋裏空間２が形成される。鼻隠し材16の外側には破風材21が設けられる。軒裏天井板９の一端は外壁下地材17にビス14により固定された軒天通気見切り金物18により支持され、他端は鼻隠し材16に固定された破風材21により支持される。
【００２８】
小屋裏空間２内（小屋裏空間内）には水を含有させた図３に示す含水性物質３が設けられる。本実施形態の含水性物質３は液状、或いは、ゼル状（gel；ジェル状）で流動性を有し、水の含有率が９９重量％以上に設定される。含水性物質３の成分は殆どが水であり、比熱が大きいので、通常時は小屋裏空間２内の温度変化を緩やかにすることができる。即ち、水の蓄熱効果により小屋裏空間２内が熱くなり過ぎたり寒くなり過ぎたりするのを防ぐことができる。含水性物質３は、図３（ｂ）に示すように、樹脂製等の袋体４内（袋体内）に収容される。
【００２９】
袋体４の一例としては、ナイロン、ポリエチレン、レーヨン、プラスチックフィルム、ナイロンポリフィルム、アルミニウム、更には、パルプ系やナイロン等の不織布フィルム等が適用出来る。含水性物質３の梱包は、袋状のソフトタイプの他、ブロー成型等により成形されるポリエチレン製のハードタイプのプラスチック容器であっても良い。
【００３０】
樹脂製の袋体４は常温時には含水性物質３に含有される水の蒸発を防止し、火災時の高温環境に晒されると溶けて含水性物質３に含有される水が流出する。水を含有させた流動性を有する含水性物質３を袋体４内に収容することで設置個所の起伏形状に対応して袋体４が自在に変形し、設置作業が容易である。
【００３１】
含水性物質３として、安価で広く市販され、水分が蒸発した後も不燃性を有して無害な物質からなる含水性樹脂または含水性粘土を採用することが出来る。含水性樹脂の一例としては、冷凍食品や要冷蔵品等を低温に保つために用いられる保冷剤や人の発熱時や暑い時に涼をとるために使われる蓄冷剤等が適用出来る。
【００３２】
一般に袋詰めされて市販されている保冷剤（アイスパック）には約９９重量％の水と、ポリアクリル酸ナトリウム等の高吸水性樹脂、防腐剤、形状安定剤等が含まれている。このような保冷剤を含水性物質３として採用することで、豊富な水分量が確保できるため昇温蒸発した際の気化熱により十分な吸熱作用を得ることができる。保冷剤は燃焼しないため、図２に示すように、火災時に高温となる軒天通気見切り金物18に接して配置することも出来、施工管理も容易である。
【００３３】
本実施形態では、図３に示すように、含水性物質３をそれぞれ収容する複数の袋体４が連続して配列され、隣設された各袋体４の間に設けられたミシン目状の切り取り線５に沿って分離可能なシート状部材６で構成されている。図３（ｂ）に示すように、袋体４の下面には接着剤や両面テープ等からなる接着層７が設けられており、該接着層７の外側には離型材等からなる離型層８が設けられている。
【００３４】
図２は小屋裏空間２を形成する軒裏天井板９の上面に含水性物質３を収容する袋体４が載置された一例である。軒裏天井板９の面積及び形状に合わせてシート状部材６の切り取り線５に沿って分離した後、離型層８を剥離して軒裏天井板９の上面に接着層７を介してシート状部材６を貼着して敷設する。シート状部材６は軒裏天井板９の上面の略全面に敷設され、軒裏天井板９の上面全体を覆うようにして敷設する。これにより小屋裏空間２を形成する軒裏天井板９の上面に含水性物質３を収容する袋体４を載置して固定することが出来る。小屋裏空間２を形成する軒裏天井板９の上面に含水性物質３を収容する袋体４を載置することで含水性物質３を安定した位置に設置出来る。尚、予め、軒裏天井板９にシート状部材６を貼着してパネル体20とし、該パネル体20を軒裏天井板として採用することも出来る。
【００３５】
含水性物質３をそれぞれ収容する複数の袋体４が連続して配列されてシート状で構成され、隣設された各袋体４の間に設けられた切り取り線５に沿って分離可能に構成されたことで、設置面積や設置個所の形状に対応して隣設された各袋体４の間に設けられた切り取り線５に沿って分離して所望の面積及び形状に変更でき、切り取った後もシート状で保持されるため敷設作業や運搬等の取り扱いが容易である。
【００３６】
図４は本実施形態の小屋裏構造の温度上昇実験を簡易炉を用いて行った際の実験設備を示す。図４（ａ）は簡易炉内の平面説明図、図４（ｂ）は簡易炉内の断面説明図である。図５は図４に示す簡易炉を用いて行った本実施形態の小屋裏構造と比較例との温度上昇実験結果を示す。
【００３７】
図４に示すように、簡易炉22内に、実験用の野地板11、鼻隠し材16、垂木12、軒裏天井板９等が配置され、簡易炉22の開口部は、厚さ２５ｍｍの石膏ボード23が２枚重ねで覆われている。２本の垂木12及び該垂木12間の空間に対応する領域で２枚の石膏ボード23を貫通し、その貫通穴23ａを厚さ８ｍｍのケイ酸カルシウム板24により閉塞している。２本の垂木12の高さ寸法は４５ｍｍであり、２本の垂木12間の空間領域の幅は２５０ｍｍに設定されている。従って貫通穴23ａの面積は１１２５０ｍｍ２（＝４５ｍｍ×２５０ｍｍ）に設定されている。
【００３８】
簡易炉22の内部には図４（ａ），（ｂ）に示す測定点Ｃ，Ｄに熱電対温度計の測定端子が設けられており、測定点Ｃ，Ｄでそれぞれ検知した温度の平均温度に基づいて簡易炉22内の温度調節を行っている。また、ケイ酸カルシウム板24の外側面には図４（ａ），（ｂ）に示す測定点Ｅ，Ｆに熱電対温度計の測定端子が設けられており、測定点Ｅ，Ｆでそれぞれ検知した温度の平均温度に基づいて図５に示す本実施形態の小屋裏構造と比較例との温度上昇実験結果を算出した。
【００３９】
図４（ａ），（ｂ）に示す測定点Ｃ，Ｄの水平方向（図４（ａ）の上下方向）の離間距離と、測定点Ｅ，Ｆの水平方向（図４（ａ）の上下方向）の離間距離とは１２０ｍｍに設定されている。測定点Ｃ，Ｄの軒裏天井板９からの高さ方向（図４（ｂ）の上下方向）における離間距離は１００ｍｍに設定されている。測定点Ｃ，Ｄの炉内側の石膏ボード23からの水平方向（図４（ｂ）の左右方向）の離間距離は１００ｍｍに設定されている。
【００４０】
図５において縦軸は熱電対温度計により図４（ａ），（ｂ）に示す測定点Ｅ，Ｆで検知した温度の平均温度から簡易炉22を加熱する前の常温時での初期温度を差し引いた温度上昇値（Ｋ；℃）を示し、横軸は温度上昇時間（分）を示す。
【００４１】
図５において、曲線ａは厚さ１２ｍｍのケイ酸カルシウム板からなる軒裏天井板９のみを使用した場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４２】
曲線ｂは厚さ１２ｍｍのケイ酸カルシウム板からなる軒裏天井板９の上面側に２７０ｇの硫酸カルシウムを収容したポリエチレン袋を両面テープで貼着した場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４３】
曲線ｃは厚さ１２ｍｍのケイ酸カルシウム板からなる軒裏天井板９の上面側に１００ｇの水を収容したポリエチレン袋を１０袋（合計で１０００ｇの水）を両面テープで貼着し、軒裏天井板９の略全面を覆うようにした場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４４】
曲線ｄは野地板11の下面側に１００ｇの保冷剤（株式会社クリンプ製の「Re freeze ice pack」DR-527）を収容したポリエチレン袋を８袋（合計で８００ｇの保冷剤）をタッカー（tacker, tucker；針で固定する建築用ホッチキス）で固定し、野地板11の略全面を覆うようにした場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４５】
曲線ｅは厚さ１２ｍｍのケイ酸カルシウム板からなる軒裏天井板９の上面側に５ｍｍ程度の空気層を介して厚さ９．５ｍｍの石膏ボードを設けた場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４６】
曲線ｆは厚さ１２ｍｍのケイ酸カルシウム板からなる軒裏天井板９の上面側に５ｍｍ程度の空気層を介して厚さ１２ｍｍの石膏ボードを設けた場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４７】
曲線ｇは厚さ１２ｍｍのケイ酸カルシウム板からなる軒裏天井板９の上面側に３０ｇ、５０ｇ、５００ｇの保冷剤（株式会社クリンプ製の「Re freeze ice pack」DR-527）を収容したポリエチレン袋をそれぞれ２袋、１０袋、１袋（合計で３０ｇ×２＋５０ｇ×１０＋５００ｇ×１＝１０６０ｇの保冷剤）を両面テープで貼着し、軒裏天井板９の略全面を覆うようにした場合の小屋裏空間２内の温度上昇をケイ酸カルシウム板24を介して図４（ａ），（ｂ）に示す測定点Ｅ，Ｆで検知した温度の平均温度から初期温度を差し引いた温度上昇値（Ｋ；℃）を示す。
【００４８】
試験に使用した株式会社クリンプ製の「Re freeze ice pack」DR-527の保冷剤は、アクリル酸ナトリウム等の吸水性ポリマー等が０．３１重量％と、水が９９．６９重量％とを主成分としている。尚、試験に使用した株式会社クリンプ製の「Re freeze ice pack」DR-527の保冷剤を１９２．４ｇ用意し、１８０℃で３時間熱したところ、０．６ｇの固形物だけが残った。
【００４９】
尚、保冷剤の成分としては、水のほかにポリアクリル酸ナトリウム、アクリルアミド架橋体、カルボキシメチルセルロース、セルロース、ポリエチレンオキシド、アルギンサンナトリウム、デンプン、ポリアクリルアミド、ポリビニルアルコール、ポリビニルピロリドン、エチレングリコール、グアーガム等を含む。他にゲル化剤（増粘剤）、硼砂、防腐剤等を含んでいるものも広く市販されている。
【００５０】
図５の縦軸において温度上昇値が１４０（Ｋ）は建築基準法に規定された値である。図５に示されるように、含水性物質３として保冷剤を使用した場合には、温度上昇値が１４０（Ｋ）を下回り、厚さ９．５ｍｍ，１２ｍｍの石膏ボードと同等の防火性能を有することが分かる。
【００５１】
近隣建物の火災時等に小屋裏空間２内が加熱されると該小屋裏空間２内に設けた含水性物質３に含有させた水が昇温により蒸発し、その気化熱により小屋裏空間２内の温度を下げることで延焼被害を受けることを防止することが出来る。
【実施例２】
【００５２】
次に、図６を用いて本発明に係る小屋裏構造の第２実施形態の構成について説明する。尚、前記第１実施形態と同様に構成したものは同一の符号、或いは符号が異なっても同一の部材名を付して説明を省略する。
【００５３】
前記第１実施形態では、含水性物質３を軒裏天井板９上に載置した場合の一例を示したが、本実施形態では、図６に示すように、屋根材となる屋根仕上材10を支持する野地板11を支持する垂木12間（垂木間）に平面状の金属板13が設けられ、該金属板13に含水性物質３を収容する袋体４が取り付けられたものである。本実施形態の金属板13はアルミニウム製や鉄製で構成され、垂木12の下面12ａに固定部材となるビス14により固定される。
【００５４】
そして、金属板13の面積及び形状に合わせて図３に示すシート状部材６の切り取り線５に沿って分離した後、離型層８を剥離して金属板13の下面に接着層７を介してシート状部材６を貼着して敷設する。野地板11と垂木12と金属板13との間の空間は通気層15とされる。これにより小屋裏空間２を形成する金属板13の下面に含水性物質３を収容する袋体４を固定することが出来る。尚、予め、金属板13にシート状部材６を貼着してパネル体19とし、該パネル体19を垂木12の下面12ａに固定部材となるビス14により固定することも出来る。シート状部材６は通気層15を介して野地板11の下面の略全面に敷設され、野地板11の下面全体を覆うようにして敷設する。金属板13は日射により温まったり、放射冷却で冷えたりした屋根からの熱放射を反射することで小屋裏空間２や居室の熱環境の改善効果が得られる。
【００５５】
屋根材を支持する垂木12間に設けられた金属板13に含水性物質３を収容する袋体４を取り付けることで小屋裏空間２内の上部にも含水性物質３を容易に設置することが出来る。他の構成は前記第１実施形態と同様に構成され、同様の効果を得ることが出来る。
【実施例３】
【００５６】
次に、図７を用いて本発明に係る小屋裏構造の第３実施形態の構成について説明する。尚、前記各実施形態と同様に構成したものは同一の符号、或いは符号が異なっても同一の部材名を付して説明を省略する。
【００５７】
前記第２実施形態では、屋根材となる屋根仕上材10を支持する野地板11を支持する垂木12の下面12ａに平面状の金属板13を固定し、該金属板13の下面に含水性物質３を収容する袋体４を固定した。本実施形態の金属板13は、図７（ａ），（ｂ）に示すように、断面コ字形状に成形され、両端部の固定片13ａを垂木12の側面12ｂに固定部材となるビス14により固定される。そして、金属板13の面積及び形状に合わせて図３に示すシート状部材６の切り取り線５に沿って分離した後、離型層８を剥離して金属板13の下面に接着層７を介してシート状部材６を貼着して敷設する。野地板11と垂木12と金属板13との間の空間は通気層15とされる。シート状部材６は通気層15を介して野地板11の下面の略全面に敷設され、野地板11の下面全体を覆うようにして敷設する。尚、予め、金属板13にシート状部材６を貼着してパネル体19とし、該パネル体19を垂木12の側面12ｂに固定部材となるビス14により固定することも出来る。これにより小屋裏空間２を形成する金属板13の下面に含水性物質３を収容する袋体４を固定することが出来る。
【００５８】
本実施形態においても屋根材を支持する垂木12間に設けられた金属板13に含水性物質３を収容する袋体４を取り付けることで小屋裏空間２内の上部にも含水性物質３を容易に設置することが出来る。他の構成は前記各実施形態と同様に構成され、同様の効果を得ることが出来る。
【００５９】
尚、前記各実施形態では、含水性物質３を収容する袋体４を金属板13に貼着した一例について説明したが、金属板13の代わりに、紙製の段ボール板やプラスチック製の段ボール板、或いは、木製等の板の表面にアルミニウムシート等の金属製シートが設けられたものであっても良い。
【産業上の利用可能性】
【００６０】
本発明の活用例として、防火性能を向上させた建物の小屋裏構造に適用出来る。
【符号の説明】
【００６１】
Ｃ，Ｄ    …測定点
Ｅ，Ｆ    …測定点
ａ〜ｇ    …曲線
１        …建物
２        …小屋裏空間
３        …含水性物質
４        …袋体
５        …切り取り線
６        …シート状部材
７        …接着層
８        …離型層
９        …軒裏天井板
10        …屋根仕上材(屋根材)
11        …野地板
12        …垂木
12ａ      …下面
12ｂ      …側面
13        …金属板
14        …ビス
15        …通気層
16        …鼻隠し材
17        …外壁下地材
18        …軒天通気見切り金物
19，20    …パネル体
21        …破風材
22        …簡易炉
23        …石膏ボード
23ａ      …貫通穴
24        …ケイ酸カルシウム板
【図１】
2015031100.tif 000003
【図２】
2015031100.tif 000004
【図３】
2015031100.tif 000005
【図４】
2015031100.tif 000006
【図６】
2015031100.tif 000007
【図７】
2015031100.tif 000008
【図５】
2015031100.tif 000009